(57)【特許請求の範囲】
【請求項１】
中央に切欠部を形成した薄板の一方端には、集光レンズユニットを上方より固定するベルト状のレンズサポータ部を形成するとともに、薄板の他方端には、集光レンズユニットの集光レンズ面の一部を前方より遮光するために下方に突出させたシェーディングプレート部を形成した構造としたスキャナレンズホルダー。
【請求項２】
請求項１において、上記シェーディングプレート部には上方側に折曲された補強リブを形成し、上記切欠部には補強リブに隣接する逃げ孔部を形成したことを特徴とするスキャナレンズホルダー。
【請求項３】
光源と、原稿からの反射光を所定の光伝送路に沿って反射伝幡させる複数のミラーと、前方に光導入口を形成するとともに、後方に撮像センサを取り付ける光導出口を形成した集光レンズ挿入穴とを本体ハウジングに備え、上記集光レンズ挿入穴には、請求項１または２に記載のスキャナレンズホルダーを嵌入保持する開口位置決め段部を形成した構造としたスキャナフレーム。
【発明の詳細な説明】
【０００１】
【発明の属する技術分野】
本発明は、ファクシミリ装置や複写機等に内蔵され、原稿を読み取るために使用されるスキャナレンズホルダーと、このレンズホルダーを有したスキャナフレームに関する。
【０００２】
【従来の技術】
従来、ファクシリ装置や複写機等に内蔵されるスキャナフレームは、例えば、図７に示すように、フレーム本体１００の中央に集光ハウジング１００ａを形成し、その集光ハウジング１００ａに集光レンズ収容部１０１を形成しており、その収容部１０１に集光レンズユニット１０２を挿入し、その状態で、この集光レンズ１０２の後方部を、上方よりベルト状のレンズサポータ１０３をビス止めして固定するとともに、集光ハウジング１００ａの前部に形成されたプレート嵌入用溝１０４内に、下方に遮光部１０６を突出させたシェーディングプレート１０５の両端翼部を嵌入し、遮光部１０６でレンズユニット１０２の前方の一部を遮光する構造となっている。
【０００３】
【発明が解決しようとする課題】
ところが、上記従来のスキャナフレームにおいては、レンズサポータ１０３とシェーディングプレート１０５が別体となっており、シェーディングプレート１０５の両端翼部を嵌入するためのプレート嵌入用溝１０４を集光ハウジング１００ａに形成しなくてはならないため加工工数が多くなるという問題があった。
【０００４】
また、レンズサポータ１０３とシェーディングプレート１０５をフレーム本体１００に別々に取り付けなくてはならないので、取付作業も面倒であるという問題があった。
本発明は、上記従来の問題を解消し、部品点数を軽減することができるとともに、集光レンズユニットの取り付けと、シェーディングプレート部の位置決めを同時に行うことができる取付作業の簡単なスキャナレンズホルダーと、このレンズホルダーを有したスキャナフレームを提供することを目的としている。
【０００５】
【課題を解決するための手段】
上記目的を達成するために、請求項１に記載のスキャナレンズホルダーは、中央に切欠部を形成した薄板をなしており、その薄板の一方端には、集光レンズを上方より固定するベルト状のレンズサポータ部を形成するとともに、他方端には、集光レンズユニットの集光レンズ面の一部を前方より遮光するシェーディングプレート部を下方に突出形成した構造としている。
このようなレンズホルダーは、レンズサポータ部とシェーディングプレート部とを薄板によって一体に形成しているので、部品点数を軽減できる。薄板としては、ステンレスなどの金属板で形成することが好ましいが、薄くて強靭なプラスチック板で形成してもよい。
【０００６】
請求項２に記載のスキャナレンズホルダーは、シェーディングプレート部には上方側に折曲された補強リブを形成し、切欠部には補強リブに隣接する逃げ孔部を形成している。
このような構造によれば、ベルト状に形成されたレンズサポータ部が、集光レンズユニットの曲面に応じて湾曲して固定されても、シェーディングプレート部には逃げ孔部を形成しているので歪を生じることがない。また、上側に折曲された補強リブは、レンズサポータ部が湾曲しても、薄板のシェーディングプレート部を容易に湾曲させない。
【０００７】
請求項３に記載のスキャナフレームは、光源と、この光源によって照射された原稿からの反射光を所定の光伝送路に沿って反射伝幡させる複数のミラーと、前方に光導入口を形成するとともに、後方に撮像センサを取り付ける光導出口を形成した集光レンズ収容部とを、本体ハウジングに備え、集光レンズ挿入穴には、請求項１または２に記載のスキャナレンズホルダーを嵌入保持する開口位置決め段部を、その上方に形成した構造としている。
【０００８】
このようなスキャナフレームでは、集光レンズ収容部は、その上方にレンズホルダーを嵌入保持させる開口位置決め段部を形成したレンズ挿入穴を開設しているので、そのレンズ挿入穴の上方開口より集光レンズを挿入した後、開口位置決め段部にスキャナホルダーを落し込み、ビスなどで固定するだけで、シェーディングプレート部の位置決めと、集光レンズユニットを正確に固定することができる。
【０００９】
【発明の実施の形態】
以下、本発明の実施の形態について、図とともに説明する。
スキャナレンズホルダー１は、図１（ａ），（ｂ）に示すように、ホルダー本体１０を一枚の薄板で形成しており、その薄板の中央には切欠部１５が形成され、前端には下向きに折曲形成されたシェーディングプレート部１１を、後端にはベルト状のレンズサポータ部１２を形成し、更にシェーディングプレート部１１には上向きに折曲形成された補強リブ１３を形成している。
【００１０】
また、レンズサポータ部１２の両端部にはビス挿入穴１４、１４を形成し、切欠部１５には補強リブ１３に隣接する逃げ孔部１６が形成されている。
このようなホルダー本体１０は、ステンレスなどの金属板で形成することが好ましいが、薄くて強靭なプラスチック板で形成してもよい。
また、レンズサポータ部１２は、集光レンズを組み込んだ集光レンズユニット２を集光ハウジング３０に形成した集光レンズ挿入穴３１に収容させた状態で、この集光レンズユニット２の上方より被せて、集光ハウジング３０に形成したビス穴３３，３３にビス４，４で固定するようになっており、このとき、レンズサポータ部１２は、図１（ｂ）に示すように、集光レンズユニット２の曲面に沿って湾曲する。なお、２１’は集光レンズユニット２の後方集光レンズ面である。
【００１１】
集光レンズ挿入穴３１は、その上方に開口３１ａを形成するとともに、前方から後方に通じる穴路が形成されており、その前方の穴路は光導入口３２に通じ、後方の穴路は外向きに広がるようにテーパ面３６ａを両面に形成した光導出口３６に通じ、この光導出口３６には、ＣＣＤセンサなどの撮像センサ５を取り付けている。
【００１２】
また、集光レンズ挿入穴３１の上方開口３１ａには、レンズホルダー１の両側部を保持する一組の側凹段部３４ａ，３４ａと、レンズホルダー１の前端を当接させて位置決めするための上向きに立設した前縁段部３４ｂとを形成した開口位置決め段部３４が設けられているので、上方開口３１ａより、この開口位置決め段部３４にレンズホルダー１を落し込めば、レンズホルダー１に突出形成したシェーディングプレート部１１は集光レンズユニット２の前方の集光レンズ面２１の一部を適正な状態に遮光できるように形成されている。
【００１３】
すなわち、レンズホルダー１をレンズ挿入穴３１の開口に落し込めば、シェーディングプレート部１１は、図３に示したように、集光レンズユニット２の前方の集光レンズ面２１の中央部分に垂れ下り、その部分を覆うので、この状態では、図４に示したように、集光レンズユニット２に入光する最も明るい中央部分ａの輝度がカットされ、撮像センサ５に入力する光の輝度はほぼ一定になる。
【００１４】
また、撮像センサ５は、図２に示すように、このセンサ５を前面に取り付けた回路基板６とともに、光導出口３６から光が漏れないように、両テーパ面３６ａ，３６ａを形成した光導出口３６の全体を塞ぐようにして取り付けられている。
次いで、本発明のスキャナーフレームについて説明する。
図５は、スキャナフレーム３を普通紙ファクシミリＡに使用した例を示している。
【００１５】
スキャナフレーム３は、合成樹脂などで形成された本体ハウジング３Ａを有しており、その本体ハウジング３Ａには、蛍光灯等からなる光源３７と、この光源３７から照射された原稿（図示略）からの反射光を所定の光伝送路に沿って反射伝播させる複数のミラー３８と、前方に光導入口３２を形成するとともに、後方に撮像センサ５を取り付ける光導出口３６を形成した集光レンズ挿入穴３１を備えている。
【００１６】
ここに、集光レンズ挿入穴３１は、本体ハウジングの中央に突設した集光ハウジング３０に形成されており、その上方を開口を形成させて、前述した開口位置決め段部３４を形成している。
このようなスキャナフレーム３は、ファクシミリＡの原稿読取部Ｂとして取り付けられ、原稿読取面５０の上面に置かれた原稿に光源３７から光を当て、その反射光をミラー３８で反射伝播させた後、集光ハウジング３０の上記した光導入口３２へ導入し、集光して撮像センサ５に入光させることが出来、これによって原稿から画像情報を読み取るようになっている。
なお、このようなスキャナーフレーム３は、普通紙ファクシミリ以外に複写機や画像読取機器（スキャナー）などにも取り付けて使用される。
【００１７】
図６は、図５に示したスキャナフレーム３をより詳細に説明するものである。このスキャナーフレーム３は、原稿から画情報を読み取るため、原稿に光を照射する光源３７と、光の反射伝幡経路を構成する第一ミラー３８Ａ、第二ミラー３８Ｂ、第三ミラー３８Ｃとを、その本体ハウジング３Ａに設けた構造となっており、本体ハウジング３Ａの中央に突設して形成された集光ハウジング３０には、
集光レンズユニット２と、この集光レンズユニット２で集光した光による画情報を、電気信号に変換する撮像センサ５が取り付けられている。
【００１８】
このようなスキャナフレーム３によれば、原稿読取面５０上を通過する原稿は光源３７の光を受けると、その反射画像は第一ミラー３８Ａ、第二ミラー３８Ｂ、第三ミラー３８Ｃで反射され、集光レンズユニット２で集光された後、撮像センサ５によって輝度の異なる画素信号に変換でき、これによって原稿に記された画情報を読み取ることができる。
【００１９】
また、このような構造のスキャナーフレーム３によれば、集光レンズ挿入穴３１の上方には開口３１ａが形成され、その開口３１ａには、図１，図２に示したように、レンズホルダー１の両側片を嵌入させる一組の側凹段部３４ａ，３４ａと、レンズホルダー１の前端を当接させる前縁段部３４ｂとで構成された開口位置決め段部３４が形成されているので、集光レンズ挿入穴３１に集光レンズユニット２を挿入した後、レンズホルダー１を開口３１ａより落し込めば、レンズホルダー１の前端は前縁段部３４ｂに当接し、その両側片は一組の側凹段部３４ａ，３４ａで支持されるので、この状態でシェーディングプレート部１１は、図３に示したように正しい位置に位置決めされる。
したがって、その状態でレンズサポータ部１２をビス４などで集光ハウジング３０に取り付ければ、シェーディングプレート部１１を適切な位置に保持し、固定することができる。
【００２０】
【発明の効果】
以上説明したように、請求項１に記載のスキャナレンズホルダーによれば、レンズサポータ部とシェーディングプレート部とを薄板に一体に形成したので、部品点数を軽減できる。また、集光レンズユニットの前方にシェーディングプレート部が位置するようにレンズサポータ部をビス止めするだけで、集光レンズユニットの取付けと、シェーディングプレート部の位置決めが同時にできる。
【００２１】
また、請求項２に記載のスキャナレンズホルダーによれば、シェーディングプレート部には上方側に折曲された補強リブを形成し、切欠部に補強リブに隣接する逃げ孔部を形成しているので、ベルト状に形成されたレンズサポータ部が、集光レンズの曲面に応じて湾曲して固定された場合にも、シェーディングプレート部に歪を生じない。また、レンズサポータ部の上側に折曲された補強リブは、レンズサポータ部が湾曲した際にも、シェーディングプレート部を容易に湾曲させない。
【００２２】
請求項３に記載のスキャナフレームによれば、スキャナフレームの集光レンズ挿入穴は、その上方開口にレンズホルダーの両側片を支持する側段凹部と、レンズホルダーの前端を当接させる前段縁部とから構成された開口位置決め段部を形成しているので、レンズ挿入穴に集光レンズユニットを挿入した後、レンズ挿入穴の上方開口よりレンズホルダーを落し込み、レンズサポータ部をビスなどで固定するだけで、シェーディングプレート部の位置決めと集光レンズの固定が同時にできる。
【図面の簡単な説明】
【図１】（ａ）は本発明のスキャナレンズホルダーをスキャナフレームに取り付ける前の使用例を示した分解斜視図、（ｂ）はスキャナフレームにスキャナホルダーを取り付けた状態を示す斜視図。
【図２】スキャナレンズホルダーの取り付け状態を示す平面図。
【図３】スキャナレンズホルダーの使用時における、シェーディングプレート部と集光レンズユニットとの位置関係を示す説明図。
【図４】シェーディングプレート部による遮光作用の説明図。
【図５】本発明のスキャナフレームの使用例を示す普通紙ファクシミリの縦断面図である。
【図６】図５の要部拡大縦断面図である。
【図７】従来のスキャナレンズホルダーを有したスキャナフレームの斜視図である。
【図８】従来のスキャナフレームのシェーディングプレートと集光レンズユニットとの位置関係の説明図である。
【符号の説明】
１            スキャナレンズホルダー
１０          ホルダー本体（薄板）
１１          シェーディングプレート部
１２          レンズサポータ部
１３          補強リブ
１５          切欠部
１６          逃げ孔部
２            集光レンズユニット
３            スキャナーフレーム
３Ａ          その本体ハウジング
３１          集光レンズ挿入穴
３１ａ        その上方開口
３２          光導入口
３４ａ，３４ｂ  開口位置決め段部
３６          光導出口
３７          光源
３８          ミラー
５            撮像センサ
【図１】
0003653958.tif 000002
【図２】
0003653958.tif 000003
【図３】
0003653958.tif 000004
【図４】
0003653958.tif 000005
【図５】
0003653958.tif 000006
【図６】
0003653958.tif 000007
【図７】
0003653958.tif 000008
【図８】
0003653958.tif 000009